(57)【要約】【課題】異なる仕様の直流電源を備えた電源ユニットを制御することができるようにした電源システを提供する。【解決手段】電源システムは、電源ユニット１を複数台、並列接続している。電源ユニット１は、直流電源１１１と、直流電源１１１から出力される直流電圧を交流電圧に変換して出力するパワーコンディショナ１１２と、パワーコンディショナ１１２に個別通信プロトコルを使用して情報を送信するスレーブ制御部１１５とを備えている。親機電源ユニット１１は、スレーブ制御部１１５に共通通信プロトコルを使用して情報を送信するマスタ制御部１１６をさらに備えている。各電源ユニット１では、スレーブ制御部１１５が、マスタ制御部１１６から共通通信プロトコルを使用して送信された情報を、個別通信プロトコルを使用してパワーコンディショナ１１２に送信する。パワーコンディショナ１１２は、個別通信プロトコルを使用して送信された情報で動作する。【選択図】図１
2020018095.tif 000002
【特許請求の範囲】
【請求項１】
直流電源と、前記直流電源から出力される直流電圧を交流電圧に変換して出力するパワーコンディショナと、前記パワーコンディショナに個別通信プロトコルを使用して情報を送信するスレーブ制御部とを備えた電源ユニットが複数台、並列接続された電源システムであって、
複数の前記スレーブ制御部に共通通信プロトコルを使用して情報を送信するマスタ制御部をさらに備え、
それぞれの前記電源ユニットにおいて、前記スレーブ制御部は、前記マスタ制御部から前記共通通信プロトコルを使用して送信された情報を、前記個別通信プロトコルを使用して前記パワーコンディショナに送信し、
前記パワーコンディショナは、前記個別通信プロトコルを使用して送信された情報に基づいて動作する、
電源システム。
【請求項２】
いずれか一台の前記電源ユニットおいて使用される前記個別通信プロトコルは、他のいずれか一台の前記電源ユニットにおいて使用される前記個別通信プロトコルと異なる、
請求項１に記載の電源システム。
【請求項３】
複数台の前記電源ユニットのうちの一台は前記マスタ制御部を含む親機電源ユニットであり、複数台の前記電源ユニットのうちの残りは前記マスタ制御部を含んでいない子機電源ユニットである、
請求項１又は２に記載の電源システム。
【請求項４】
前記直流電源は、充放電可能な蓄電池である、
請求項１から３のいずれかに記載の電源システム。
【請求項５】
それぞれの前記電源ユニットは、前記蓄電池の残量を個別の方式に基づいて個別残量値として計測する電源モニタリング制御部を備え、
前記電源モニタリング制御部は、前記個別通信プロトコルを使用して前記個別残量値を前記スレーブ制御部に送信し、
前記スレーブ制御部は、前記電源モニタリング制御部から送信された前記個別残量値を前記マスタ制御部に前記共通通信プロトコルを使用して送信し、
前記マスタ制御部は、前記スレーブ制御部から送信された前記個別残量値を受信して共通仕様に基づいた共通残量値に変換する、
請求項４に記載の電源システム。
【請求項６】
前記マスタ制御部は、前記共通残量値が所定の値となった前記電源ユニットにおいて、
前記パワーコンディショナが前記蓄電池の充電を停止するための情報を、当該電源ユニットにおける前記スレーブ制御部に送信する、
請求項５に記載の電源システム。
【請求項７】
それぞれの前記電源ユニットの前記蓄電池を充電する場合において、
いずれかの前記電源ユニットの前記蓄電池が充電できない状態となった場合、前記マスタ制御部は、他の前記電源ユニットの前記蓄電池を充電する電流の量を増加させるための情報を、当該電源ユニットの前記スレーブ制御部に送信する、
請求項４から６のいずれかに記載の電源システム。
【請求項８】
それぞれの前記蓄電池に接続された抵抗負荷部を備え、
それぞれの前記電源ユニットの前記蓄電池を充電する場合において、
いずれかの前記電源ユニットの前記蓄電池が充電できない状態となった場合、充電のための電流の一部は、前記抵抗負荷部に給電される、
請求項４から７のいずれかに記載の電源システム。
【請求項９】
それぞれの前記電源ユニットの電源をＯＮする場合において、
前記マスタ制御部は、前記親機電源ユニットの前記スレーブ制御部に対して、前記親機電源ユニットの前記パワーコンディショナをソフトスタートさせるための情報を送信する、
請求項３に記載の電源システム。
【請求項１０】
それぞれの前記電源ユニットは、前記パワーコンディショナに直列に接続されたスイッチを備え、
前記マスタ制御部は、１台以上の前記パワーコンディショナの故障を検知したときに全ての前記スイッチをＯＦＦにする、
請求項１から９のいずれかに記載の電源システム。
【請求項１１】
前記パワーコンディショナは、前記直流電源から出力される直流電圧を交流電圧に変換して出力するパワーコンディショナ本体部と、前記パワーコンディショナ本体部から出力される電力量を前記スレーブ制御部へ出力するパワーコンディショナ制御部を備えている、
請求項１から１０のいずれかに記載の電源システム。
【請求項１２】
前記パワーコンディショナに接続された変圧器を前記電源ユニットごとに備え、
それぞれの前記電源ユニットから出力された電圧は、それぞれの前記変圧器によって同じ電圧に揃えられる、
請求項１から１１のいずれかに記載の電源システム。
【請求項１３】
前記共通通信プロトコルは、ＵＤＰ／ＩＰである、
請求項１から１２のいずれかに記載の電源システム。
【請求項１４】
前記電源ユニットに並列接続された非常用発電機を備えている、
請求項１から１３のいずれかに記載の電源システム。
【請求項１５】
請求項４から８のいずれかに記載の電源システムと、
前記電源システムから出力された交流電力が給電される負荷部と、
前記負荷部及び前記蓄電池に給電する給電部と、
を有する、
電力の系統連系システム。
【請求項１６】
前記給電部は、再生可能エネルギ源と、系統電源との組合せであり、
前記再生可能エネルギ源は、前記電源システムの前記蓄電池及び前記負荷部に交流電力を給電し、
前記系統電源は、前記負荷部に交流電力を給電する、
請求項１５に記載の電力の系統連系システム。
【発明の詳細な説明】
【技術分野】
【０００１】
本発明は、直流電源やパワーコンディショナを備えた電源ユニットを複数台、並列接続した電源システム、及びこの電源システムを有する電力の系統連系システムに関する。
【背景技術】
【０００２】
従来より、直流電源やパワーコンディショナを備えた電源ユニットや、複数の電源ユニットを備えた電源システムが種々提供されている。例えば、特許文献１には、電源システムの一例としての分散型電源システムが記載されている。
【０００３】
この分散型電源システムは、複数の電源ユニットを並列接続し、電力を効率よく発生することができるようにしている。電源ユニットは、太陽光電池集合体などの分散電源（直流電源）と、この直流電源に接続されたパワーコンディショナとを１台ずつ備えている。分散型電源システムは、複数台のパワーコンディショナとの間で信号を送受信する１台のマスタコントローラなどを備えている。
【０００４】
パワーコンディショナは、各直流電源からの電力を受けて交流を出力する。パワーコンディショナとマスタコントローラとは、通信線で接続され、制御信号と状態信号が送受信される。制御信号は、パワーコンディショナを停止させる信号や、直流と交流の変換動作を開始あるいは続行させる信号などである。状態信号は、パワーコンディショナの運転状況や障害発生信号を知らせる信号などである。
【０００５】
複数の電源ユニットに備えられた各パワーコンディショナは、交流電力線によって並列接続されている。交流電力線は、各パワーコンディショナと負荷とを接続する。負荷には、パワーコンディショナから出力された交流電力が供給される。
【０００６】
このような分散型電源システムは、多様なあるいは多数の直流電源に対応して複数のパワーコンディショナを設置することで、効率よくかつ安全な電力を供給する。また、分散型電源システムは、マスタコントローラが複数のパワーコンディショナを制御することで、複数台のパワーコンディショナが単独運転しないようにする。
【先行技術文献】
【特許文献】
【０００７】
【特許文献１】特開２００６−３２０１４９号公報
【発明の概要】
【発明が解決しようとする課題】
【０００８】
特許文献１に記載された電源システムは、複数台の電源ユニットのそれぞれに備えられた各パワーコントローラとマスタコントローラとの間で信号を送受信している。各電源ユニットは、パワーコンディショナを接続した直流電源を備えている。各電源ユニットは、同一の仕様のものが使用されている。
【０００９】
しかし、異なるメーカから供給される電源ユニットであっても、同じメーカから供給される電源ユニットであって、互いに異なる仕様となり得る。電源システムが各電源ユニットの一部又は全部が異なる仕様によって構成された場合、マスタコントローラは、異なる仕様の電源ユニットを制御できない。
【００１０】
したがって、特許文献１に記載された電源システムにおいて、１台のマスタコントローラが複数台のパワーコンディショナを制御するためには、仕様が同じ電源ユニットを備えた電源システムに限定されることになる。
【００１１】
本発明は、異なる仕様の電源ユニットを制御することが可能な電源システム、及びこの電源システムを備えた電力の系統連系システムを提供することを目的とする。
【課題を解決するための手段】
【００１２】
本発明に係る電源システムは、
直流電源と、前記直流電源から出力される直流電圧を交流電圧に変換して出力するパワーコンディショナと、前記パワーコンディショナに個別通信プロトコルを使用して情報を送信するスレーブ制御部とを備えた電源ユニットが複数台、並列接続された電源システムであって、
複数の前記スレーブ制御部に共通通信プロトコルを使用して情報を送信するマスタ制御部をさらに備え、
それぞれの前記電源ユニットにおいて、前記スレーブ制御部は、前記マスタ制御部から前記共通通信プロトコルを使用して送信された情報を、前記個別通信プロトコルを使用して前記パワーコンディショナに送信し、
前記パワーコンディショナは、前記個別通信プロトコルを使用して送信された情報に基づいて動作する。
【００１３】
前記本発明に係る電源システムでは、
いずれか一台の前記電源ユニットおいて使用される前記個別通信プロトコルは、他のいずれか一台の前記電源ユニットにおいて使用される前記個別通信プロトコルと異なる。
【００１４】
前記本発明に係る電源システムにおいて、
複数台の前記電源ユニットのうちの一台は前記マスタ制御部を含む親機電源ユニットであり、複数台の前記電源ユニットのうちの残りは前記マスタ制御部を含んでいない子機電源ユニットである。
【００１５】
前記本発明に係る電源システムにおいて、
前記直流電源は、充放電可能な蓄電池である。
【００１６】
前記本発明に係る電源システムにおいて、
それぞれの前記電源ユニットは、前記蓄電池の残量を個別の方式に基づいて個別残量値として計測する電源モニタリング制御部を備え、
前記電源モニタリング制御部は、前記個別通信プロトコルを使用して前記個別残量値を前記スレーブ制御部に送信し、
前記スレーブ制御部は、前記電源モニタリング制御部から送信された前記個別残量値を前記マスタ制御部に前記共通通信プロトコルを使用して送信し、
前記マスタ制御部は、前記スレーブ制御部から送信された前記個別残量値を受信して共通仕様に基づいた共通残量値に変換する。
【００１７】
前記本発明に係る電源システムでは、
前記マスタ制御部は、前記共通残量値が所定の値となった前記電源ユニットにおいて、
前記パワーコンディショナが前記蓄電池の充電を停止するための情報を、当該電源ユニットにおける前記スレーブ制御部に送信する。
【００１８】
前記本発明に係る電源システムでは、
それぞれの前記電源ユニットの前記蓄電池を充電する場合において、
いずれかの前記電源ユニットの前記蓄電池が充電できない状態となった場合、前記マスタ制御部は、他の前記電源ユニットの前記蓄電池を充電する電流の量を増加させるための情報を、当該電源ユニットの前記スレーブ制御部に送信する。
【００１９】
前記本発明に係る電源システムでは、
それぞれの前記蓄電池に接続された抵抗負荷部を備え、
それぞれの前記電源ユニットの前記蓄電池を充電する場合において、
いずれかの前記電源ユニットの前記蓄電池が充電できない状態となった場合、充電のための電流の一部は、前記抵抗負荷部に給電される。
【００２０】
前記本発明に係る電源システムでは、
それぞれの前記電源ユニットの電源をＯＮする場合において、
前記マスタ制御部は、前記親機電源ユニットの前記スレーブ制御部に対して、前記親機電源ユニットの前記パワーコンディショナをソフトスタートさせるための情報を送信する。
【００２１】
前記本発明に係る電源システムにおいて、
それぞれの前記電源ユニットは、前記パワーコンディショナに直列に接続されたスイッチを備え、
前記マスタ制御部は、１台以上の前記パワーコンディショナの故障を検知したときに全ての前記スイッチをＯＦＦにする。
【００２２】
前記本発明に係る電源システムにおいて、
前記パワーコンディショナは、前記直流電源から出力される直流電圧を交流電圧に変換して出力するパワーコンディショナ本体部と、前記パワーコンディショナ本体部から出力される電力量を前記スレーブ制御部へ出力するパワーコンディショナ制御部を備えている。
【００２３】
前記本発明に係る電源システムでは、
前記パワーコンディショナに接続された変圧器を前記電源ユニットごとに備え、
それぞれの前記電源ユニットから出力された電圧は、それぞれの前記変圧器によって同じ電圧に揃えられる。
【００２４】
前記本発明に係る電源システムにおいて、
前記共通通信プロトコルは、ＵＤＰ／ＩＰである。
【００２５】
前記本発明に係る電源システムでは、
前記電源ユニットに並列接続された非常用発電機を備えている。
【００２６】
本発明に係る電力の系統連系システムは、
前記いずれかの本発明に係る電源システムと、
前記電源システムから出力された交流電力が給電される負荷部と、
前記負荷部及び前記蓄電池に給電する給電部と、
を有する。
【００２７】
前記本発明に係る電力の系統連系システムにおいて、
前記給電部は、再生可能エネルギ源と、系統電源との組合せであり、
前記再生可能エネルギ源は、前記電源システムの前記蓄電池及び前記負荷部に交流電力を給電し、
前記系統電源は、前記負荷部に交流電力を給電する。
【発明の効果】
【００２８】
本発明によれば、異なる仕様の電源ユニットを制御することが可能な電源システム、及びこの電源システムを備えた電力の系統連系システムを提供することができる。
【図面の簡単な説明】
【００２９】
【図１】本発明に係る電源システムの一実施形態を示す構成図である。
【図２】本発明に係る電源システムの一実施形態であって、詳細を示す構成図である。
【図３】本発明に係る電力の系統連系システムの一実施形態を示す概念図である。
【発明を実施するための形態】
【００３０】
本発明の電源システムの一実施形態について図１及び図２を参照して説明する。本発明に係る電力の系統連系システムの一実施形態について図３を参照して説明する。図１は、本発明に係る電源システムの一実施形態を示す構成図である。図２は、本発明に係る電源システムの一実施形態であって、詳細を示す構成図である。図３は、本発明に係る電力の系統連系システムの一実施形態を示す概念図である。
【００３１】
図１に示すように、本発明の電源システムは、複数台（図１では４台を示し、以下、４台として説明する。）の並列接続された電源ユニット１を備えている。各電源ユニット１は、直流電源１１１と、パワーコンディショナ（ＰＣＳ；Ｐｏｗｅｒ  Ｃｏｎｄｉｔｉｏｎｉｎｇ  Ｓｙｓｔｅｍ）１１２と、スレーブ制御部（ＰＬＣ；Ｐｒｏｇｒａｍｍａｂｌｅ  Ｌｏｇｉｃ  Ｃｏｎｔｒｏｌｌｅｒ）１１５と、を備えている。１台の電源ユニット１は、さらにマスタ制御部１１６を備えている。
【００３２】
ここでは、マスタ制御部１１６を備えた電源ユニット１を親機電源ユニット１１と呼び、マスタ制御部１１６を備えていない電源ユニット１を子機電源ユニット１２でと呼ぶ。ただし、親機電源ユニット１１と子機電源ユニット１２とを区別する必要がない場合は、電源ユニット１として説明する。
【００３３】
電源システムは、複数台の電源ユニット１とは別に、中央監視部２と、抵抗負荷部３と、非常用発電機４と、変圧器５と、スイッチ７とを備えている。中央監視部２は、マスタ制御部１１６に接続されている。抵抗負荷部３及び非常用発電機４は、電源ユニット１に並列接続されている。変圧器５は、複数備えられ、スイッチ７を介してパワーコンディショナ１１２と抵抗負荷部３と非常用発電機４とに個々に接続される。
【００３４】
図２に詳しく示すように、電源ユニット１は、さらに電源データ測定部（ＣＭＵ；Ｃｅｌｌ  Ｍｏｎｉｔｏｒｉｎｇ  Ｕｎｉｔ）１１３と、電源モニタリング制御部（ＢＭＵ；Ｂａｔｔｅｒｙ  Ｍａｎａｇｅｍｅｎｔ  Ｕｎｉｔ）１１４と、を備えている。これらは、例えば、コンテナ（図示せず）内に収納される。コンテナは、簡単に輸送したり設置したりすることができる。コンテナには、図示しないが、空調設備や消火設備、照明設備なども備える。
【００３５】
直流電源１１１は、充放電可能な蓄電池が使用される（以下、「蓄電池１１１」として説明する。）。蓄電池１１１は、具体的には、例えば、リチウムイオン電池、レドックスフロー電池、ナトリウム・硫黄電池、ニッケル水素電池、鉛蓄電池などであり、種類を問わない。リチウムイオン電池は、出力が数ｋＷからＭＷクラスまで、容量（時間）が数分から数時間まで、スケーラビリティも容易に実現できるという特長がある。蓄電池１１１は、電源ユニット１ごとに電圧や制御方式などの仕様が異なっていてもよい。
【００３６】
蓄電池１１１は、複数台の蓄電盤で構成される。複数台の蓄電盤は、室内若しくはコンテナ内に設置される。それぞれの蓄電盤は、複数個の電池モジュールと、これらを収容するラックとで構成される。電池モジュールは、複数個の電池セル（単電池）と、これらを収容する筐体（図示せず）とで構成される。電池セル（単電池）が、電池の最小単位である。
【００３７】
各電源ユニット１の蓄電池１１１は、配電線Ｄによってパワーコンディショナ１１２と接続され、通信線Ｃによってスレーブ制御部１１５と接続されている。図２に詳しく示すように、パワーコンディショナ１１２は、パワーコンディショナ本体部１１２ａと、パワーコンディショナ制御部（ＰＣＳＣ；Ｐｏｗｅｒ  Ｃｏｎｄｉｔｉｏｎｉｎｇ  Ｓｙｓｔｅｍ  Ｃｏｎｔｒｏｌｌｅｒ）１１２ｂとを備えている。パワーコンディショナ本体部１１２ａは、蓄電池１１１に配電線Ｄによって接続されている。パワーコンディショナ制御部１１２ｂは、パワーコンディショナ本体部１１２ａとスレーブ制御部１１５とに通信線Ｃによって接続されている。
【００３８】
パワーコンディショナ本体部１１２ａとパワーコンディショナ制御部１１２ｂとは、情報を通信するための通信線Ｃによって接続されている。それぞれの電源ユニット１において、固有の仕様の蓄電池１１１、パワーコンディショナ１１２などは、固有の通信プロトコルである個別通信プロトコルを使用して制御される。個別通信プロトコルは、例えばシングルマスタ／マルチスレーブ方式であるモドバス（Ｍｏｄｂｕｓ  Ｐｒｏｔｏｃｏｌ）のような通信方式が採用される。個別通信プロトコルは、電源ユニット１ごとに異なっていてもよいし、同じであってもよい。ここでは、個別通信プロトコルが、電源ユニット１ごとに異なる場合について説明する。
【００３９】
パワーコンディショナ本体部１１２ａは、通信線Ｃによって接続されたパワーコンディショナ制御部１１２ｂによって制御される。パワーコンディショナ本体部１１２ａは、パワーコンディショナ制御部１１２ｂから送信された情報に基づいて制御される。例えば、パワーコンディショナ本体部１１２ａは、パワーコンディショナ制御部１１２ｂから送信された情報に基づいてＯＮ／ＯＦＦされ、あるいは、蓄電池１１１が放電／充電するように制御される。
【００４０】
パワーコンディショナ制御部１１２ｂは、通信線Ｃによってスレーブ制御部１１５と接続されている。スレーブ制御部１１５は、電源ユニット１ごとに異なる個別通信プロトコルを使用して情報をパワーコンディショナ制御部１１２ｂに送受信する。
【００４１】
パワーコンディショナ本体部１１２ａと蓄電池１１１とは、配電線Ｄによって接続されている。パワーコンディショナ本体部１１２ａと蓄電池１１１は、配線Ｄを介して直流電力のやり取りを行う。パワーコンディショナ本体部１１２ａは、配電線Ｄによって電源ユニット１外の変圧器５ともスイッチ７を介して接続されている。パワーコンディショナ本体部１１２ａは、蓄電池１１１から出力される直流電力を交流電力に変換して変圧器５へ出力する。また、パワーコンディショナ本体部１１２ａは、変圧器５を介して入力される交流電力を直流電力に変換し、蓄電池１１１に出力する。
【００４２】
各電源ユニット１のパワーコンディショナ本体部１１２ａから出力される交流電圧は、３００Ｖであったり、４４０Ｖであったり、２７０Ｖであったり、蓄電池１１１及びパワーコンディショナ本体部１１２ａの両方又は一方の仕様によって異なる。このように異なる電圧は、変圧器５によって６．６ｋＶに統一され１本の配電線Ｄ（以下、「共用配電線Ｄ」という。）にまとめられる。この共用配電線Ｄには、ＯＮ／ＯＦＦするためのスイッチ７が接続されている。
【００４３】
各電源ユニット１のパワーコンディショナ本体部１１２ａから出力される交流電力は、パワーコンディショナ本体部１１２ａとスイッチ７とを接続している配電線Ｄにおいて測定される。この交流電力は、［電力×時間］によって算出される。この交流電力は、プログラム上、定義された電流値として一定の間隔（例えば１秒間隔）ごとにマスタ制御部１１６に出力される。例えば、交流電力が−６００ｋＷ（充電）であれば、電流値は４ｍＡであり、交流電流が０ｋＷ（充電でも放電でもない）であれば、電流値は１２ｍＡであり、＋６００ｋＷ（放電）であれば、電流値は２０ｍＡである。
【００４４】
図２に詳しく示すように、各電源ユニット１は、電源データ測定部１１３と電源モニタリング制御部１１４とを備えている。電源データ測定部１１３と電源モニタリング制御部１１４とは、通信線Ｃによって接続されている。
【００４５】
電源データ測定部１１３は、通信線Ｃによって蓄電池１１１と接続され、蓄電池１１１の電圧や温度などを測定する。電源データ測定部１１３と蓄電池１１１とは、外観上、別体であってもよいし、一体的にパッケージされたモジュールであってもよい。電源データ測定部１１３は、電源モニタリング制御部１１４において、蓄電池１１１の個別残量値を算出するために必要な電圧などの情報を測定する。電源データ測定部１１３の具体的な測定方法などは、電源ユニット１ごとに異なる。
【００４６】
電源モニタリング制御部１１４は、通信線Ｃによって電源データ測定部１１３と接続され、電源データ測定部１１３によって測定された電圧などの情報を受信し、蓄電池１１１の残量（充電レベル）を個別残量値として算出する。電源モニタリング制御部１１４は、電源データ測定部１１３からの情報に基づいて、蓄電池１１１の過充電や過放電をも検出する。電源モニタリング制御部１１４と電源データ測定部１１３とは、別体で通信線Ｃによって接続されてもよく、一体的にパッケージされてもよい。
【００４７】
電源モニタリング制御部１１４は、通信線Ｃによってスレーブ制御部１１５と接続される。電源モニタリング制御部１１４で得られた情報が、電源ユニット１ごとに異なる個別通信プロトコルを使用してスレーブ制御部１１５に送信される。
【００４８】
各スレーブ制御部１１５とマスタ制御部１１６とは、通信線Ｃによって接続されている。マスタ制御部１１６と各スレーブ制御部１１５とは、いずれの電源ユニット１とも同じ共通通信プロトコルを使用して情報が送信される。マスタ制御部１１６と各スレーブ制御部１１５との間の情報の送受信は、個別通信プロトコルでなく、共通通信プロトコルが使用される。共通通信プロトコルが使用されることで、マスタ制御部１１６は、種々の仕様の電源ユニット１に対して情報を一括して容易に送受信することができる。
【００４９】
一方、種々の使用の電源ユニット１においては、共通通信プロトコルと異なる独自の個別通信プロトコルが使用される。独自の個別通信プロトコルが使用されることで、電源ユニット１は、独自の仕様に基づいた動作が確保される。また、電源システム全体としては、電源ユニット１の仕様によらず、種々の電源ユニット１の採用が容易となる。
【００５０】
共通通信プロトコルは、ＵＤＰ／ＩＰである。ＵＤＰ／ＩＰは、古い世代のプロトコルではあるが標準の方式のように汎用されている。そのため、種々の電源ユニット１が、ＵＤＰ／ＩＰに対応することは容易である。また、ＵＤＰ／ＩＰは、種々の電源ユニット１に対して情報を通信しやすくすることができる。ＵＤＰ／ＩＰは、少量の情報を単発的に通信する場合に適している。
【００５１】
図１に示すように、電源システムは、マスタ制御部１１６と通信線Ｃによって接続された中央監視部２を備えている。中央監視部２は、電源システムから遠隔地にある。中央監視部２には、蓄電池１１１の残量や出力電力量、温度などを表示する表示器、さらに、異常事態を知らせる警報機などを備えている。
【００５２】
図１に示すように、電源システムは、変圧器５を接続している共用配電線Ｄに抵抗負荷部３及び非常用発電機４を並列接続している。この共用配電線Ｄに抵抗負荷部３及び非常用発電機４にもそれぞれＯＮ／ＯＦＦするためのスイッチ７と変圧器５とが接続されている。非常用発電機４は、マスタ制御部１１６によって制御されない。非常用発電機４は、親機電源ユニット１１の上位に設定されることにより、電源ユニット１とは別系統で運転される。
【００５３】
図３に示すように、共用配電線Ｄは、給電部や負荷部とも接続される。蓄電池１１１が充電される場合、給電部から配電線Ｄ及び変圧器５を介して交流電力がパワーコンディショナ１１２に供給される。交流電力は、パワーコンディショナ１１２によって直流電力に変換され、蓄電池１１１に供給される。これにより、蓄電池１１１は、充電される。蓄電池１１１が放電される場合、蓄電池から配電線Ｄを介して直流電力がパワーコンディショナ１１２に供給され、直流電力はパワーコンディショナ１１２によって交流電力に変換され、配電線Ｄ及び変圧器５を介して負荷部に供給される。これによって、蓄電池１１１は、放電される。
【００５４】
図３に示すように、本発明の電力の系統連系システムは、本発明の電源システムと、給電部と、負荷部と、を備えている。給電部は、負荷部及び電源システムに備えられたパワーコンディショナ１１２に交流電力を給電する。給電部は、太陽光発電や風力発電のような再生可能エネルギ源と、電力会社系統などの系統電源との組み合わせである。
【００５５】
再生可能エネルギ源と系統電源は、一般的に別の場所に存在する。しかし、負荷部や電源システムに電力を給電するという点で機能が共通であるため、図３においては、便宜上、給電部とされている。再生可能エネルギ源は、パワーコンディショナ１１２及び負荷部に交流電力を給電する。負荷部は、電源システムや給電部から出力された交流電力が給電される需要家である。
【００５６】
ここで、本発明の電源システムを実施する方法について説明する。この電源システムは、１台の親機電源ユニット１１及び３台の子機電源ユニット１２において、それぞれ備えられた蓄電池１１１、パワーコンディショナ１１２、情報を通信線Ｃによって通信するための通信プロトコル（個別通信プロトコル）、その他種々の仕様が電源ユニット１ごとに固有の仕様となっている。
【００５７】
まず、再生可能エネルギ源からの交流電力が電源システムに入力される場合（蓄電池１１１が充電される場合）について説明する。マスタ制御部１１６は、それぞれのスレーブ制御部１１５に対して、共通プロトコルを使用して、電源ユニット１に交流電力を入力するための情報を送信する。この情報を受信したスレーブ制御部１１５は、個別プロトコルを使用して、この情報をパワーコンディショナ制御部１１２ｂに対して送信する。
【００５８】
この情報を受信したパワーコンディショナ制御部１１２ｂは、パワーコンディショナ本体部１１２ａに対して蓄電池１１１が充電するモードとなるように制御する。すなわち、パワーコンディショナ本体部１１２ａは、負荷部から共通配電線Ｄを介して供給される交流電力を直流電力に変換し、蓄電池１１１を充電する。
【００５９】
マスタ制御部１１６は、各電源ユニット１において、蓄電池１１１が充電可能かどうかの充電レベル（残量）をチェックする。そのため、電源データ測定部１１３が蓄電池１１１の電圧などを測定する。この電圧などの情報は、個別通信プロトコルを使用する通信線Ｃによって電源モニタリング制御部１１４に送信される。電源モニタリング制御部１１４は、各充電レベル（残量）を個別残量値として算出する。算出された個別残量値は、スレーブ制御部１１５に送信される。この送信では、個別通信プロトコルが使用される。
【００６０】
親機電源ユニット１１内のスレーブ制御部１１５は、親機電源ユニット１１内のマスタ制御部１１６に共通通信プロトコルによって個別残量値を送信する。子機電源ユニット１２内のスレーブ制御部１１５は、親機電源ユニット１１内のマスタ制御部１１６に共通通信プロトコルによって個別残量値を送信する。
【００６１】
仕様が異なる電源ユニット１から送信された個別残量値は、互いに異なる算出方法で算出された値である。そのため、マスタ制御部１１６は、送信された個別残量値をそのまま使用して、それぞれのスレーブ制御部１１５を制御することは望ましくない。それぞれの電源ユニット１から送信された個別残量値がすべて同じ値であったとしても、それぞれの電源ユニット１における蓄電池１１１が同じ残量であるとは限らないからである。
【００６２】
そこで、マスタ制御部１１６は、スレーブ制御部１１５から送信された個別残量値を受信して、予め定められた変換式や変換表などに基づいて共通残量値に変換する。変換式や変換表は、それぞれの電源ユニット１から出力される共通残量値を共通残量値に対応付けるためのものである。マスタ制御部１１６が各電源ユニット１の共通残量値を把握することで、各電源ユニット１を共通管理することができる。
【００６３】
マスタ制御部１１６は、４台の蓄電池１１１の共通残量値をそれぞれチェックする。マスタ制御部１１６は、共通残量値を中央監視部２に送信する。中央監視部２の表示器には、共通残量値が表示される。中央監視部２の表示部が正確に表示できるようにするため、各電源ユニット１には、調整運転モードが設けられている。この調整運転モード時には、蓄電池１１１を充電しない。
【００６４】
電源システムに入力される交流電流は、急に大きくなる場合がある。この場合、それぞれの電源ユニット１のパワーコンディショナ１１２に入力される交流電力が大きくなるため、何らの手立てもないと、蓄電池１１１に供給される直流電力も急に大きくなる。この電源システムでは、パワーコンディショナ制御部１１２ｂが急変した交流電力について情報としてスレーブ制御部１１５へ送信する。スレーブ制御部１１５は、急変した交流電力の情報をマスタ制御部１１６へ送信する。マスタ制御部１１６は、対処できる電源ユニット１がより多くの交流電力を受けるように、その電源ユニット１のスレーブ制御部１１５に処理信号を送信する。
【００６５】
より具体的には、まず、親機電源ユニット１１の蓄電池１１１が充電可能であるかどうかがマスタ制御部１１６によってチェックされる。親機電源ユニット１１の蓄電池が充電可能であれば、親機電源ユニット１１の蓄電池１１１が充電される。親機電源ユニット１１の蓄電池１１１が充電可能でないときは、どの子機電源ユニット１２の蓄電池１１１が充電可能であるかをマスタ制御部１１６がチェックする。
【００６６】
マスタ制御部１１６は、充電可能な電力量に余裕がある蓄電池１１１を有する電源ユニット１に対して、より多くの交流電力を受けるように、その電源ユニット１のスレーブ制御部１１５に処理信号を送信する。こうすることにより、それぞれの電源ユニット１が故障しないようにすることができる。
【００６７】
蓄電池１１１の個別残量は、前記のように、電源データ測定部１１３によって計測され、スレーブ制御部１１５からマスタ制御部１１６に送信される。したがって、マスタ制御部１１６では、一定の時間間隔、又は連続して蓄電池１１１の共通残量値をチェックする。マスタ制御部１１６は、共通残量値が所定の値になったことを認識すると、パワーコンディショナ本体部１１２ａによる蓄電池１１１への充電を停止するための情報をパワーコンディショナ制御部１１２ｂへ送信する。
【００６８】
これにより、蓄電池１１１は、充電されなくなる。このように、この電源システムは、蓄電池１１１の充電の仕様や電源ユニット１の通信プロトコルが異なっていても、蓄電池１１１への充電を開始し、その充電を停止することができる。
【００６９】
いずれかの電源ユニット１の蓄電池１１１が充電できない状態となった場合、マスタ制御部１１６は、他の電源ユニット１の蓄電池１１１を充電する電流の量を増加させるための情報を、この電源ユニット１のスレーブ制御部１１５に送信する。したがって、この電源システムは、４台の電源ユニット１のいずれかの蓄電池１１１が不調であっても、他の電源ユニット１がその不調分を補完することとなり、蓄電池１１１全体として充電することができる。
【００７０】
また、いずれかの電源ユニット１の蓄電池１１１が充電できない状態となった場合、充電のための電流の一部は、抵抗負荷部３に給電されてもよい。例えば、ある電源ユニット１の蓄電池１１１の充電が完了し、他の電源ユニット１の蓄電池１１１の充電が完了していない場合がある。このような場合、マスタ制御部１１６は、充電が完了した蓄電池１１１に交流電力を供給する代わりに、抵抗負荷部３に交流電力を供給する。こうすることで、蓄電池１１１に対する過充電を防止することができる。
【００７１】
このように、この電源システムは、複数台（図１では４台）の電源ユニット１を親機電源ユニット１１と子機電源ユニット１２とに区別し、マスタ／スレーブコントロールという方法によって、１台の電源ユニット１が大容量の交流電力を出力するかのように作動し、さらに、いずれかの電源ユニット１が不調になったときに、他の電源ユニット１が補完して交流電力を出力する。
【００７２】
また、パワーコンディショナ本体部１１２ａが故障すると、その故障をパワーコンディショナ制御部１１２ｂが検知し、その故障の情報がスレーブ制御部１１５に送信される。さらに故障の情報は、スレーブ制御部１１５からマスタ制御部１１６に送信される。マスタ制御部１１６は、全ての電源ユニット１のスレーブ制御部１１５にスイッチをＯＦＦにする信号を送信する。こうすることで、電源ユニット１が連鎖故障しないようにすることができる。
【００７３】
蓄電池１１１の個別残量値は、各電源ユニット１において調整されるが、気温や経年劣化などによって適切な値でなくなることがある。したがって、マスタ制御部１１６は、蓄電池１１１の個別残量値が適切な値になるように、調整し直される（ゼロクリア）。
【００７４】
電源システムを長期間使用ない場合は、蓄電池１１１の共通残量値が例えば５０％程度として休止する。蓄電池１１１の共通残量値が５０％程度になったことは、マスタ制御部１１６が認識する。このように蓄電池１１１の共通残量値が同じ値に設定されることによって、電源システムは、長期間使用されなかった場合であっても、安定した起動が可能となる。
【００７５】
なお、それぞれの電源ユニット１における共通残量値が５０％になった場合であっても、それぞれの電源ユニット１における個別残量値は、必ずしも５０％になるとは限らない。上述したように、それぞれの電源ユニット１において、個別残量値の算出方法が異なるためである。
【００７６】
図３（ｂ）に示すように、電源システムから出力された交流電力は、負荷部に給電される。負荷部は、再生可能エネルギ源及び系統電源の両方又は一方からも給電されてもよい。一使用態様として、昼間において太陽光発電のような再生可能エネルギ源から出力された交流電力によって電源システムの蓄電池１１１を充電し、夜間において電源システムの蓄電池１１１から出力される交流電力が負荷部に給電されるようにしてもよい。他態様として、夜間において風力発電などの再生可能エネルギ源や割安となった系統電源によって電源システムの蓄電池１１１を充電し、昼間において電源システムの蓄電池１１１から出力される交流電力が負荷部に給電されるようにしてもよい。
【００７７】
次に、電源システムが負荷部に対して交流電力を給電する場合（蓄電池１１１が放電される場合）について詳しく説明する。マスタ制御部１１６は、それぞれのスレーブ制御部１１５に対して、共通プロトコルを使用して、電源ユニット１から交流電力を出力するための情報を送信する。この情報を受信したスレーブ制御部１１５は、個別プロトコルを使用して、この情報をパワーコンディショナ制御部１１２ｂに対して送信する。この情報を受信したパワーコンディショナ制御部１１２ｂは、パワーコンディショナ本体部１１２ａを制御し、蓄電池１１１から直流電力を出力させる。この直流電力は、パワーコンディショナ本体部１１２ａによって交流電力に変換され、電源ユニット１から出力される。
【００７８】
それぞれの電源ユニット１から出力された交流電力は、変圧器５によって電圧が６．６ｋＶに統一され、共用配電線Ｄにまとめられる。まとめられた交流電力は、負荷部に給電される。
【００７９】
電源ユニット１が交流力を出力する初期状態において、それぞれの電源ユニット１から突入電流が発生する場合がある。それぞれの電源ユニット１から突入電流が発生した場合、共用配電線Ｄに設けられたスイッチ７には、瞬間的に許容可能な電流以上の電流が流れる場合がある。許容可能な電流以上の電流がスイッチ７に流れた場合、スイッチ７はオフ（遮断）されるおそれがある。
【００８０】
突入電流によるスイッチ７のオフ（遮断）を抑制するために、それぞれの電源ユニット１をＯＮする場合において、マスタ制御部１１６は、親機電源ユニット１１のスレーブ制御部１１５に対して、親機電源ユニット１１のパワーコンディショナ１１２をソフトスタートさせるための情報を併せて送信することができる。その結果、この電源ユニット１から発生する突入電流が抑制され、スイッチ７のオフ（遮断）が抑制され得る。
【００８１】
蓄電池１１１から出力された直流電力がパワーコンディショナ本体部１１２ａによって交流電力に変換され、この交流電力が負荷部に給電されることで、蓄電池１１１の充電レベル（残量）が低下する。マスタ制御部１１６は、蓄電池１１１の共通残量値が充電すべき程に小さくなっていることを検出すると、全ての電源ユニット１を充電モードとする。そのため、マスタ制御部１１６は、蓄電池１１１による給電を停止して、蓄電池１１１に充電を開始する指示の情報を全ての電源ユニット１内のパワーコンディショナ制御部１１２ｂに出力する。
【００８２】
以上、本発明の電源システム及び電力の系統連系システムの実施形態について説明したが、本発明は、前記の実施形態に限定されるものではなく、本発明の課題を解決できる範囲での変更や改良は、本発明に含まれる。
【００８３】
前記実施形態では、各電源ユニット１において使用される個別通信プロトコルは、異なるとした。しかし、各電源ユニット１において使用される個別通信プロトコルは、同じとしてもよい。電源システムが例えば同一メーカの電源ユニット１を備える場合、同じ個別通信プロトコルを使用できる場合がある。
【００８４】
前記実施形態では、マスタ制御部１１６を含む電源ユニット１を親機電源ユニット１１とした。しかし、マスタ制御部１１６は、別途のマスタ制御部用ユニット（コンテナなど）に備え、全ての電源ユニット１を子機電源ユニット１２としてもよい。
【００８５】
前記実施形態では、直流電源１１１は、蓄電池１１１とした。しかし、直流電源１１１は、蓄電池１１１でなく、燃料電池や太陽電池などの直流電力を出力可能なものであってもよい。直流電源１１１が蓄電池１１１でない場合、電源システムは、交流電力を出力する機能のみを有し、交流電力が入力される機能は有さないものとなる。
【００８６】
前記実施形態では、電源システムは、電源モニタリング制御部１１４を備えた。しかし、電源システムは、電源モニタリング制御部１１４を備えず、電源データ測定部１１３から出力される個別残量値をスレーブ制御部１１５が受信するようにしてもよい。
【００８７】
前記実施形態では、蓄電池１１１の充電を停止するための情報をマスタ制御部１１６がスレーブ制御部１１５に送信するようにした。しかし、蓄電池１１１の充電の停止は、各電源ユニット１のパワーコンディショナ制御部１１２ｂが行うようにしてもよい。
【００８８】
前記実施形態では、電源システムは、抵抗負荷部３を備えた。しかし、電源システムは、抵抗負荷部３を備えることなく、充電が完了した蓄電池１１１に電流が流れないようにしてもよい。
【００８９】
前記実施形態では、電源システムは、マスタ制御部１１６がソフトスタートさせるための情報を送信するようにした。しかし、ソフトスタートさせる電源ユニット１は、親機電源ユニット１１に限定されず、すべての電源ユニット１１，１２をソフトスタートしてもよいし、子機電源ユニット１２の一部又は全部をソフトスタートさせてもよい。また、電源システムは、マスタ制御部１１６がソフトスタートさせる情報を送信するのでなく、突入電流の流入を防止するスイッチを備えるようにしてもよい。
【００９０】
前記実施形態では、パワーコンディショナ１１２がパワーコンディショナ本体部１１２ａとパワーコンディショナ制御部１１２ｂと備えるものとした。しかし、パワーコンディショナ本体部１１２ａは、直流電源１１１と一体化したものとしてもよい。
【００９１】
以上まとめると、本発明が適用される電源システムは、
直流電源１１１と、前記直流電源１１１から出力される直流電圧を交流電圧に変換して出力するパワーコンディショナ１１２と、前記パワーコンディショナ１１２に個別通信プロトコルを使用して情報を送信するスレーブ制御部１１５とを備えた電源ユニット１が複数台、並列接続された電源システムであって、
複数の前記スレーブ制御部１１５に共通通信プロトコルを使用して情報を送信するマスタ制御部１１６をさらに備え、
それぞれの前記電源ユニット１において、前記スレーブ制御部１１５は、前記マスタ制御部１１６から前記共通通信プロトコルを使用して送信された情報を、前記個別通信プロトコルを使用して前記パワーコンディショナ１１２に送信し、
前記パワーコンディショナ１１２は、前記個別通信プロトコルを使用して送信された情報に基づいて動作する。
【００９２】
本発明によれば、マスタ制御部１１６が各電源ユニット１のスレーブ制御部１１５に共通通信プロトコルを使用して情報を送信し、各電源ユニット１のスレーブ制御部１１５がパワーコンディショナ１１２に個別通信プロトコルを使用して情報を送信するため、マスタ制御部１１６がスレーブ制御部１１５を介してパワーコンディショナ１１２を制御することができる。
【００９３】
前記本発明が適用される電源システムでは、
いずれか一台の前記電源ユニット１おいて使用される前記個別通信プロトコルは、他のいずれか一台の前記電源ユニット１において使用される前記個別通信プロトコルと異なる。
【００９４】
この電源システムによれば、電源ユニット１において使用される個別通信プロトコルが電源ユニットごとに異なっていても、マスタ制御部１１６が共通通信プロトコルをスレーブ制御部１１５に通信することにより、仕様が異なる各電源ユニット１を制御することができる。
【００９５】
前記本発明が適用される電源システムにおいて、
複数台の前記電源ユニット１のうちの一台は前記マスタ制御部１１６を含む親機電源ユニット１１であり、複数台の前記電源ユニット１のうちの残りは前記マスタ制御部１１６を含んでいない子機電源ユニット１２である。
【００９６】
この電源システムによれば、一台の親機電源ユニット１１がマスタ制御部１１６を備えることにより、マスタ制御部１１６を備えるユニットを別途、備える必要がなく、マスタ制御部１１６を備えた親機電源ユニット１１を中心に電源システムを構成することができる。
【００９７】
前記本発明が適用される電源システムにおいて、
前記直流電源１１１は、充放電可能な蓄電池１１１である。
【００９８】
この電源システムによれば、直流電源１１１が充放電可能な蓄電池１１１であることにより、放電後も充電を繰り返すことで、直流電源１１１を永続的に使用することができる。
【００９９】
前記本発明が適用される電源システムにおいて、
それぞれの前記電源ユニット１は、前記蓄電池１１１の残量を個別の方式に基づいて個別残量値として計測する電源モニタリング制御部１１４を備え、
前記電源モニタリング制御部１１４は、前記個別通信プロトコルを使用して前記個別残量値を前記スレーブ制御部１１５に送信し、
前記スレーブ制御部１１５は、前記電源モニタリング制御部１１４から送信された前記個別残量値を前記マスタ制御部１１６に前記共通通信プロトコルを使用して送信し、
前記マスタ制御部１１６は、前記スレーブ制御部１１５から送信された前記個別残量値を受信して共通仕様に基づいた共通残量値に変換する。
【０１００】
この電源システムによれば、マスタ制御部１１６は、各電源ユニット１に備えられた蓄電池１１１の個別残量値を受信するため、各電源ユニット１の個別残量値を比較し、各電源ユニット１間で個別残量値が均などになるように調整することができる。
【０１０１】
前記本発明が適用される電源システムでは、
前記マスタ制御部１１６は、前記共通残量値が所定の値となった前記電源ユニット１において、
前記パワーコンディショナ１１２が前記蓄電池１１１の充電を停止するための情報を、当該電源ユニット１における前記スレーブ制御部１１５に送信する。
【０１０２】
この電源システムによれば、蓄電池１１１の充電が停止されることにより、過充電によって蓄電池１１１が破壊されないようにすることができる。
【０１０３】
前記本発明が適用される電源システムは、
それぞれの前記電源ユニット１の前記蓄電池１１１を充電する場合において、
いずれかの前記電源ユニット１の前記蓄電池１１１が充電できない状態となった場合、前記マスタ制御部１１６は、他の前記電源ユニット１の前記蓄電池１１１を充電する電流の量を増加させるための情報を、当該電源ユニット１の前記スレーブ制御部１１５に送信する。
【０１０４】
この電源システムによれば、いずれかの電源ユニット１の蓄電池１１１が不調であっても、他の電源ユニット１がその不調分を補完することとなり、蓄電池１１１全体として充電することができる。
【０１０５】
前記本発明が適用される電源システムは、
それぞれの前記蓄電池１１１に接続された抵抗負荷部３を備え、
それぞれの前記電源ユニット１の前記蓄電池１１１を充電する場合において、
いずれかの前記電源ユニット１の前記蓄電池１１１が充電できない状態となった場合、充電のための電流の一部は、前記抵抗負荷部３に給電される。
【０１０６】
この電源システムによれば、ある電源ユニット１の蓄電池１１１の充電が完了し、他の電源ユニット１の蓄電池１１１の充電が完了していない場合に、マスタ制御部１１６が充電の完了した蓄電池１１１に流れる交流電力を抵抗負荷部３へ流すようにして、過充電を防止することができる。
【０１０７】
前記本発明が適用される電源システムは、
それぞれの前記電源ユニット１の電源をＯＮする場合において、
前記マスタ制御部１１６は、前記親機電源ユニット１１の前記スレーブ制御部１１５に対して、前記親機電源ユニット１１の前記パワーコンディショナ１１２をソフトスタートさせるための情報を送信する。
【０１０８】
この電源システムによれば、マスタ制御部１１６がソフトスタートさせるための情報を送信することにより、電源ユニット１に突入電流が発生しないようにして、スイッチ７がＯＦＦにならないようにすることができる。
【０１０９】
前記本発明が適用される電源システムにおいて、
それぞれの前記電源ユニット１は、前記パワーコンディショナ１１２に直列に接続されたスイッチを備え、
前記マスタ制御部１１６は、１台以上の前記パワーコンディショナ１１２の故障を検知したときに全ての前記スイッチをＯＦＦにする。
【０１１０】
この電源システムによれば、１台以上の前記パワーコンディショナ１１２の故障をマスタ制御部１１６が検知したときに、全てのスイッチ７をＯＦＦにすることにより、電源ユニット１が連鎖故障しないようにすることができる。
【０１１１】
前記本発明が適用される電源システムにおいて、
前記パワーコンディショナは、前記直流電源１１１から出力される直流電圧を交流電圧に変換して出力するパワーコンディショナ本体部１１２ａと、前記パワーコンディショナ本体部１１２ａから出力される電力量を前記スレーブ制御部１１５へ出力するパワーコンディショナ制御部１１２ｂを備えている。
【０１１２】
この電源システムによれば、パワーコンディショナ１１２がパワーコンディショナ本体部１１２ａとパワーコンディショナ制御部１１２ｂとに機能を分担させたものとなる。パワーコンディショナ制御部１１２ｂは、スレーブ制御部１１５との間で情報を送受信し、パワーコンディショナ本体部１１２ａを制御しやすいものとなる。
【０１１３】
前記本発明が適用される電源システムにおいて、
前記パワーコンディショナ１１２に接続された変圧器５を前記電源ユニット１ごとに備え、
それぞれの前記電源ユニット１から出力された電圧は、それぞれの前記変圧器５によって同じ電圧に揃えられる。
【０１１４】
この電源システムによれば、各電源ユニット１から出力される交流電圧が異なっていても、変圧器５によって揃えられた交流電力を出力することができる。
【０１１５】
前記本発明が適用される電源システムにおいて、
前記共通通信プロトコルは、ＵＤＰ／ＩＰである。
【０１１６】
この電源システムによれば、標準の方式のように汎用されているＵＤＰ／ＩＰが共通通信プロトコルとされることにより、種々の電源ユニット１に対して情報を通信しやすくすることができる。
【０１１７】
前記本発明が適用される電源システムは、
前記電源ユニット１に並列接続された非常用発電機４を備えている。
【０１１８】
この電源システムによれば、親機電源ユニット１１の上位に設定された非常用発電機４を備えていることにより、電源ユニット１との系統連系運転をすることができる。
【０１１９】
前記本発明が適用される電力の系統連系システムは、
前記電源システムから出力された交流電力が給電される負荷部と、
前記負荷部及び前記蓄電池１１１に給電する給電部と、
を有する。
【０１２０】
この電力の系統連系システムによれば、電源システム及び給電部から出力された交流電力を負荷部に供給することができ、給電部が電源システムの蓄電池に給電し、充電することができる。
【０１２１】
前記本発明が適用される電力の系統連系システムにおいて、
前記給電部は、再生可能エネルギ源と、系統電源との組合せであり、
前記再生可能エネルギ源は、前記電源システムの前記蓄電池１１１及び前記負荷部に交流電力を給電し、
前記系統電源は、前記負荷部に交流電力を給電する。
【０１２２】
この電力の系統連系システムによれば、給電部が再生可能エネルギ源と系統電源の組み合わせとされることにより、電源システムの蓄電池１１１と負荷部に適宜、切り替えて交流電力を出力することができる。再生可能エネルギ源が電源システムの蓄電池及び負荷部に交流電力を給電することにより、時間や天候などの状況によって電源システムの蓄電池１１１に給電することができる。
【符号の説明】
【０１２３】
１・・・・電源ユニット
１１・・・・親機電源ユニット
１２・・・・子機電源ユニット
１１１・・・・直流電源（蓄電池）
１１２・・・・パワーコンディショナ
１１２ａ・・・パワーコンディショナ本体部
１１２ｂ・・・パワーコンディショナ制御部
１１３・・・・電源データ測定部
１１４・・・・電源モニタリング制御部
１１５・・・・スレーブ制御部
１１６・・・・マスタ制御部
２・・・・中央監視部
３・・・・抵抗負荷部
４・・・・非常用発電機
５・・・・変圧器
７・・・・スイッチ
Ｃ・・・・通信線
Ｄ・・・・配電線
【図１】
2020018095.tif 000003
【図２】
2020018095.tif 000004
【図３】
2020018095.tif 000005